(57)【要約】【課題】暗号化処理と復号処理を別個の回路又は装置により実行する場合に比して全体としての回路規模を低減して小型化／低コスト化を図り、更には情報処理の高速化を図ることが可能な情報処理装置等を提供する。【解決手段】光ディスクＤＫへ情報を記録するときにその情報を暗号化する暗号化処理と、光ディスクＤＫに記録されている情報を再生するときに光ディスクＤＫからの情報を復号する復号処理と、の双方を行い得る処理部５乃至８であって一のピックアップ１又は磁気ヘッド２について複数備えられた処理部５乃至８と、暗号化処理又は復号処理のいずれか一方が実行されるように各処理部５乃至８を制御するＣＰＵ１２と、各処理部５乃至８において実行される暗号化処理又は復号処理のいずれか一方に対応して、情報の各処理部５乃至８への伝送経路を切り換えるパス切換部９と、を備える。【選択図】      図１
2004335035.tif 000002
【特許請求の範囲】
【請求項１】
記録媒体に対する情報の記録又は当該記録媒体に記録されている前記情報の再生の少なくともいずれか一方を行う処理手段を含む情報処理装置において、
前記記録媒体へ前記情報を記録するときに当該記録すべき情報を暗号化する暗号化処理と、前記記録媒体に記録されている前記情報を当該記録媒体から再生するときに当該再生すべき前記記録媒体からの情報を復号する復号処理と、の双方を行い得る暗号化／復号手段であって、一の前記処理手段について複数備えられた暗号化／復号手段と、
前記暗号化処理又は前記復号処理のいずれか一方が実行されるように各前記暗号化／復号手段を制御する制御手段と、
各前記暗号化／復号手段において実行される前記いずれか一方に対応して、前記情報の各前記暗号化／復号手段への伝送経路を切り換える切換手段と、
を備えることを特徴とする情報処理装置。
【請求項２】
請求項１に記載の情報処理装置において、
前記記録媒体は、異なる種類の暗号化用情報を用いて暗号化された前記情報を記録可能であると共に、
各前記暗号化／復号手段は、異なる種類の前記暗号化用情報を用いて前記情報を暗号化する前記暗号化処理と、前記暗号化処理に用いられた各前記暗号化用情報を用いて対応する前記復号処理と、を行うことを特徴とする情報処理装置。
【請求項３】
請求項２に記載の情報処理装置において、
前記処理手段を複数備えると共に、
前記制御手段及び前記切換手段は、
第一の前記処理手段により第一の前記記録媒体から再生された前記情報であって第一の前記暗号化用情報を用いて暗号化されている前記情報を復号して外部に出力するように、当該第一の処理手段について備えられた第一の前記暗号化／復号手段を制御し且つ前記伝送経路を切り換え、
前記第一の処理手段により前記第一の記録媒体から再生された前記情報であって第二の前記暗号化用情報を用いて暗号化されている前記情報を復号するように当該第一の処理手段について備えられた第二の前記暗号化／復号手段を制御し、当該第二の暗号化／復号手段により復号された前記情報を第二の前記処理手段について備えられた第一の前記暗号化／復号手段により暗号化して当該第二の処理手段により第二の前記記録媒体に記録するように、前記第二の処理手段について備えられた前記第一の暗号化／復号手段を制御し且つ前記伝送経路を切り換えることを特徴とする情報処理装置。
【請求項４】
請求項２に記載の情報処理装置において、
前記処理手段を複数備えると共に、
前記制御手段及び前記切換手段は、
外部から入力された前記情報を、第一の前記処理手段について備えられた第一の前記暗号化／復号手段により第一の前記暗号化用情報を用いて暗号化して当該第一の処理手段を用いて第一の前記記録媒体に記録するように、当該第一の処理手段について備えられた第一の前記暗号化／復号手段を制御し且つ前記伝送経路を切り換え、
第二の前記処理手段により第二の前記記録媒体から再生された前記情報であって第二の前記暗号化用情報を用いて暗号化されている前記情報を復号するように当該第二の処理手段について備えられた前記暗号化／復号手段を制御し、当該暗号化／復号手段により復号された情報を前記第一の処理手段について備えられた第二の前記暗号化／復号手段により暗号化して前記第一の処理手段により前記第一の記録媒体に記録するように、前記第二の処理手段について備えられた前記暗号化／復号手段及び前記第一の処理手段について備えられた前記第二の暗号化／復号手段を制御し且つ前記伝送経路を切り換えることを特徴とする情報処理装置。
【請求項５】
請求項１から４のいずれか一項に記載の情報処理装置において、
各前記暗号化／復号手段は、
予め設定された前記暗号化用情報と、当該暗号化用情報に対して逆演算の関係にある予め設定された逆暗号化用情報と、のいずれか一方を選択する第１選択手段と、
前記情報と、当該情報を暗号化して得られる暗号化情報であって復号すべき暗号化情報と、のいずれか一方を選択する第２選択手段と、
前記第１選択手段及び前記第２選択手段における選択結果に基づいて前記暗号化処理又は前記復号処理のいずれか一方を行う演算手段と、
を夫々に備え、
前記制御手段は、
前記暗号化／復号手段に前記暗号化処理を実行させるとき、前記第１選択手段に前記暗号化情報を選択させ且つ前記第２選択手段に前記情報を選択させ、前記選択された暗号化情報と前記選択された情報とに基づいて前記演算手段において前記暗号化処理が実行されるように当該演算手段を制御すると共に、
前記暗号化／復号手段に前記復号処理を実行させるとき、前記第１選択手段に前記逆暗号化情報を選択させ且つ前記第２選択手段に前記暗号化情報を選択させ、前記選択された逆暗号化情報と前記選択された暗号化情報とに基づいて前記演算手段において前記暗号化処理に対して逆演算の関係にある前記復号処理が実行されるように当該演算手段を制御することを特徴とする情報処理装置。
【請求項６】
記録媒体に対する情報の記録又は当該記録媒体に記録されている前記情報の再生の少なくともいずれか一方を行う処理手段と、前記記録媒体へ前記情報を記録するときに当該記録すべき情報を暗号化する暗号化処理と、前記記録媒体に記録されている前記情報を当該記録媒体から再生するときに当該再生すべき前記記録媒体からの情報を復号する復号処理と、の双方を行い得る暗号化／復号手段であって、一の前記処理手段について複数備えられた暗号化／復号手段と、を備える情報処理装置において実行される情報処理方法であって、
前記暗号化処理又は前記復号処理のいずれか一方が実行されるように各前記暗号化／復号手段を制御すると共に、各前記暗号化／復号手段において実行される前記いずれか一方に対応して、前記情報の各前記暗号化／復号手段への伝送経路を切り換える制御切換工程を備えることを特徴とする情報処理方法。
【請求項７】
記録媒体に対する情報の記録又は当該記録媒体に記録されている前記情報の再生の少なくともいずれか一方を行う処理手段を含む情報処理装置に含まれる処理コンピュータを、
前記記録媒体へ前記情報を記録するときに当該記録すべき情報を暗号化する暗号化処理と、前記記録媒体に記録されている前記情報を当該記録媒体から再生するときに当該再生すべき前記記録媒体からの情報を復号する復号処理と、の双方を行い得る暗号化／復号手段であって、一の前記処理手段について複数備えられた暗号化／復号手段、
前記暗号化処理又は前記復号処理のいずれか一方が実行されるように各前記暗号化／復号手段を制御する制御手段、及び、
各前記暗号化／復号手段において実行される前記いずれか一方に対応して、前記情報の各前記暗号化／復号手段への伝送経路を切り換える切換手段、
として機能させることを特徴とする情報処理用プログラム。
【請求項８】
請求項７に記載の情報処理用プログラムが、前記処理コンピュータにより読取可能に記録されたことを特徴とする情報記録媒体。
【発明の詳細な説明】
【０００１】
【発明の属する技術分野】
本願は、情報処理装置、情報処理方法及び情報処理用プログラム並びに情報記録媒体の技術分野に属し、より詳細には、光ディスク等の記録媒体からの情報再生と当該記録媒体への情報記録とを共に実行することが可能な情報処理装置、情報処理方法及び当該情報情報処理用プログラム並びに当該情報処理用プログラムが記録された情報記録媒体の技術分野に属する。
【０００２】
【従来の技術】
従来、光ディスク等の記録媒体から他の記録媒体への情報の複写処理等を実行する場合において、当該複写される情報の保全性を高めるべく元の記録媒体における記録時に用いられた暗号化処理とは異なる暗号化処理を行って複写記録を行う場合がある。
【０００３】
このとき、従来の複写装置においては、元の記録媒体から検出した情報（暗号化されて記録されていた情報）の復号処理と、復号された情報に対する新たな暗号化処理とは、別個の回路を夫々に用いて行われていた。すなわち、暗号化処理専用の暗号化回路と、復号処理専用の復号回路と、が夫々独立して別個に設けられていた。
【０００４】
【発明が解決しようとする課題】
しかしながら、上述した従来の複写装置によると、暗号化処理専用の暗号化回路と、復号処理専用の復号回路と、が夫々別個に設けられていたので、複写装置全体としての回路規模が肥大化してしまうという問題点があった。
【０００５】
また、上述した従来の複写装置によると、例えば、情報の保全性の観点から、情報を暗号化する際に用いられる暗号化用情報を異ならせた複数の情報が記録されている記録媒体から読み出した各情報を見かけ上同時に複写する場合には、夫々の情報を混在させた状態で複写することが必要となる。そしてこのとき、従来の複写装置では、複写されるべき情報における最小分割単位毎に復号のための暗号化用情報を切り換え、暗号化回路又は復号回路を再度その切り換えた暗号化用情報で設定し直して情報を複写するといった煩雑な処理をする必要があるという問題点があった。
【０００６】
更に、上述した従来の複写装置では、一の情報の復号／暗号化処理を伴う複写を行っている間に更にもう一つ別の暗号化用情報の異なる情報の外部への出力等が高速に行えないという問題点もあった。
【０００７】
更にまた、暗号化処理と復号処理とを並行的に行うべく一のバスを介して複数の暗号化回路と復号回路とを並列に数多く備えるとすると、当該バス上の同時に伝送できる情報量の制限に起因して全体としての情報の転送速度が低下してしまうという問題点もあった。
【０００８】
そこで、本願は上記の各問題点に鑑みて為されたもので、その課題の一例は、暗号化処理と復号処理を別個の回路又は装置により実行する場合に比して全体としての回路規模を低減して小型化／低コスト化を図り、更には情報処理の高速化を図ることが可能な情報処理装置、情報処理方法及び当該情報情報処理用プログラム並びに当該情報処理用プログラムが記録された情報記録媒体を提供することにある。
【０００９】
【課題を解決するための手段】
上記の課題を解決するために、請求項１に記載の発明は、光ディスク等の記録媒体に対する情報の記録又は当該記録媒体に記録されている前記情報の再生の少なくともいずれか一方を行うピックアップ等の処理手段を含む情報処理装置において、前記記録媒体へ前記情報を記録するときに当該記録すべき情報を暗号化する暗号化処理と、前記記録媒体に記録されている前記情報を当該記録媒体から再生するときに当該再生すべき前記記録媒体からの情報を復号する復号処理と、の双方を行い得る処理部等の暗号化／復号手段であって、一の前記処理手段について複数備えられた暗号化／復号手段と、前記暗号化処理又は前記復号処理のいずれか一方が実行されるように各前記暗号化／復号手段を制御するＣＰＵ等の制御手段と、各前記暗号化／復号手段において実行される前記いずれか一方に対応して、前記情報の各前記暗号化／復号手段への伝送経路を切り換えるパス切換部等の切換手段と、を備える。
【００１０】
上記の課題を解決するために、請求項６に記載の発明は、光ディスク等の記録媒体に対する情報の記録又は当該記録媒体に記録されている前記情報の再生の少なくともいずれか一方を行うピックアップ等の処理手段と、前記記録媒体へ前記情報を記録するときに当該記録すべき情報を暗号化する暗号化処理と、前記記録媒体に記録されている前記情報を当該記録媒体から再生するときに当該再生すべき前記記録媒体からの情報を復号する復号処理と、の双方を行い得る処理部等の暗号化／復号手段であって、一の前記処理手段について複数備えられた暗号化／復号手段と、を備える情報処理装置において実行される情報処理方法であって、前記暗号化処理又は前記復号処理のいずれか一方が実行されるように各前記暗号化／復号手段を制御すると共に、各前記暗号化／復号手段において実行される前記いずれか一方に対応して、前記情報の各前記暗号化／復号手段への伝送経路を切り換える制御切換工程を備える。
【００１１】
上記の課題を解決するために、請求項７に記載の発明は、光ディスク等の記録媒体に対する情報の記録又は当該記録媒体に記録されている前記情報の再生の少なくともいずれか一方を行う処理手段を含む情報処理装置に含まれる処理コンピュータを、前記記録媒体へ前記情報を記録するときに当該記録すべき情報を暗号化する暗号化処理と、前記記録媒体に記録されている前記情報を当該記録媒体から再生するときに当該再生すべき前記記録媒体からの情報を復号する復号処理と、の双方を行い得る暗号化／復号手段であって、一の前記処理手段について複数備えられた暗号化／復号手段、前記暗号化処理又は前記復号処理のいずれか一方が実行されるように各前記暗号化／復号手段を制御する制御手段、及び、各前記暗号化／復号手段において実行される前記いずれか一方に対応して、前記情報の各前記暗号化／復号手段への伝送経路を切り換える切換手段、として機能させる。
【００１２】
上記の課題を解決するために、請求項８に記載の発明は、請求項７に記載の情報処理用プログラムが、前記処理コンピュータにより読取可能に記録されている。
【００１３】
【発明の実施の形態】
次に、本願に好適な実施の形態について、図面に基づいて説明する。なお、以下に説明する各実施の形態は、ＣＤ（Ｃｏｍｐａｃｔ  Ｄｉｓｃ）又はＤＶＤ（Ｄｉｇｉｔａｌ  Ｖｅｒｓａｔｉｌｅ  Ｄｉｓｃ）等の記録可能な光ディスクに対して情報を記録又は再生するための光ピックアップと、ハードディスク等の記録可能な磁気ディスクに対して情報を記録又は再生するための磁気ヘッドと、の双方を備える情報処理装置に対して本願を適用した場合の実施の形態である。
【００１４】
始めに、各実施形態に係る情報処理装置の全体構成及び全体動作を、図１及び図２を用いて説明する。
【００１５】
なお、図１は実施形態に係る情報処理装置の概要構成を示すブロック図であり、図２は実施形態に係る処理部の細部構成を示すブロック図である。
【００１６】
図１に示すように、各実施形態に係る情報処理装置Ｓは、光ディスクＤＫに対する情報の記録又は再生を行う処理手段としてのピックアップ１と、磁気ディスクＨＤに対する情報の記録又は再生を行う処理手段としての磁気ヘッド３と、インタフェース２及び４と、暗号化／復号手段としての処理部５乃至８と、切換手段としてのパス切換部９と、デコーダ１０と、エンコーダ１１と、制御手段としてのＣＰＵ１２と、により構成されており、これらインタフェース２及び４、処理部５乃至８、パス切換部９、デコーダ１０及びエンコーダ１１とＣＰＵ１２とはバスＢを介して相互に情報の授受が可能とされている。
【００１７】
次に、動作を説明する。
【００１８】
先ず、光ディスクＤＫは、図示しないスピンドルモータにより予め設定されている回転数により回転され、これに対してピックアップ１は図示しない光ビームを照射して情報の記録又は再生を行う。
【００１９】
このとき、ピックアップ１により光ディスクＤＫに記録されるべき情報は、記録再生情報Ｓｄｋとしてインタフェース２から当該ピックアップ１に出力され、光学的に光ディスクＤＫに記録される。また、ピックアップ１により光ディスクＤＫから光学的に検出された情報は、記録再生情報Ｓｄｋとしてピックアップ１からインタフェース２に出力される。なお、当該情報記録時又は情報再生時における光ビームの焦点位置は、図示しないトラッキングサーボ回路及びフォーカスサーボ回路により制御される。
【００２０】
そして、インタフェース２は、処理部５により暗号化処理された情報を光ディスクＤＫに記録する場合は、バスＢを介してＣＰＵ１２から出力される制御情報Ｓｉ１に基づいて、当該記録すべき暗号化処理された情報を処理部情報Ｓ１として処理部５から受信し、当該処理部情報Ｓ１に対して予め設定されているインタフェース処理を施して記録再生情報Ｓｄｋとしてピックアップ１に出力する。また、光ディスクＤＫから検出した情報を処理部５において復号する場合は、同様に制御情報Ｓｉ１に基づいて、当該光ディスクＤＫから検出された情報をピックアップ１から記録再生情報Ｓｄｋとして受信し、当該記録再生情報Ｓｄｋに対して上記インタフェース処理を施して処理部情報Ｓ１として処理部５に出力する。
【００２１】
更に、インタフェース２は、処理部６により暗号化処理された情報を光ディスクＤＫに記録する場合は、同様に制御情報Ｓｉ１に基づいて、当該記録すべき暗号化処理された情報を処理部情報Ｓ２として処理部６から受信し、当該処理部情報Ｓ２に対して上記インタフェース処理を施して記録再生情報Ｓｄｋとしてピックアップ１に出力する。また、光ディスクＤＫから検出した情報を処理部６において復号する場合は、同様に制御情報Ｓｉ１に基づいて、当該光ディスクＤＫから検出された情報をピックアップ１から記録再生情報Ｓｄｋとして受信し、当該記録再生情報Ｓｄｋに対して上記インタフェース処理を施して処理部情報Ｓ２として処理部６に出力する。
【００２２】
一方、磁気ディスクＨＤは、光ディスクＤＫと同様に図示しない他のスピンドルモータにより予め設定されている回転数により回転され、これに対して磁気ヘッド３は磁気的に情報の記録又は再生を行う。
【００２３】
このとき、磁気ヘッド３により磁気ディスクＨＤに記録されるべき情報は、記録再生情報Ｓｈｄとしてインタフェース４から当該磁気ヘッド３に出力され、磁気的に磁気ディスクＨＤに記録される。また、磁気ヘッド３により磁気ディスクＨＤから磁気的に検出された情報は、記録再生情報Ｓｈｄとして磁気ヘッド３からインタフェース４に出力される。
【００２４】
そして、インタフェース４は、処理部７により暗号化処理された情報を磁気ディスクＨＤに記録する場合は、バスＢを介してＣＰＵ１２から出力される制御情報Ｓｉ２に基づいて、当該記録すべき暗号化処理された情報を処理部情報Ｓ３として処理部７から受信し、当該処理部情報Ｓ３に対して予め設定されているインタフェース処理を施して記録再生情報Ｓｈｄとして磁気ヘッド３に出力する。また、磁気ディスクＨＤから検出した情報を処理部７において復号する場合は、同様に制御情報Ｓｉ２に基づいて、当該磁気ディスクＨＤから検出された情報を磁気ヘッド３から記録再生情報Ｓｈｄとして受信し、当該記録再生情報Ｓｈｄに対して上記インタフェース処理を施して処理部情報Ｓ３として処理部７に出力する。
【００２５】
更に、インタフェース４は、処理部８により暗号化処理された情報を磁気ディスクＨＤに記録する場合は、同様に制御情報Ｓｉ２に基づいて、当該記録すべき暗号化処理された情報を処理部情報Ｓ４として処理部８から受信し、当該処理部情報Ｓ４に対して上記インタフェース処理を施して記録再生情報Ｓｈｄとして磁気ヘッド３に出力する。また、磁気ディスクＨＤから検出した情報を処理部８において復号する場合は、同様に制御情報Ｓｉ２に基づいて、当該磁気ディスクＨＤから検出された情報を磁気ヘッド３から記録再生情報Ｓｈｄとして受信し、当該記録再生情報Ｓｈｄに対して上記インタフェース処理を施して処理部情報Ｓ４として処理部８に出力する。
【００２６】
次に、処理部５乃至８の動作について説明する。なお、各処理部５乃至８は相互に同一の機能を有するので、以下の説明では、これらを代表して処理部５の動作について説明する。
【００２７】
処理部５は、光ディスクＤＫに記録すべき情報を暗号化する場合は、バスＢを介してＣＰＵ１２から出力される制御情報Ｓｃ１に基づいて、当該暗号化すべき情報を処理部情報Ｓ１１としてパス切換部９から受信し、当該処理部情報Ｓ１１に対して後述する暗号化処理を施して処理部情報Ｓ１としてインタフェース２に出力する。また、光ディスクＤＫから検出された情報を復号する場合は、同様に制御情報Ｓｃ１に基づいて、当該光ディスクＤＫから検出された情報をインタフェース２から処理部情報Ｓ１として受信し、当該処理部情報Ｓ１に対して後述する復号処理を施して処理部情報Ｓ１１としてパス切換部９に出力する。
【００２８】
なお、処理部５以外の他の処理部６乃至８については、バスＢを介してＣＰＵ１２から出力される制御情報Ｓｃ２、Ｓｃ３又はＳｃ４に夫々基づいて、上述した処理部５と同様の動作を、インタフェース２又は４及びパス切換部９との間で実行する。
【００２９】
次に、パス切換部９は、バスＢを介してＣＰＵ１２から出力される制御情報Ｓｃｍに基づいて、後述する情報の伝送経路の切換処理を実行し、必要な情報を処理部情報Ｓ１１、Ｓ２２、Ｓ３３又はＳ４４として夫々処理部５乃至８に出力すると共に、情報処理装置Ｓとして外部に出力すべき情報（各ディスクから再生された情報等）を出力情報Ｓｄｄとしてデコーダ１０へ出力する。更にパス切換部９は、情報処理装置Ｓに対して外部から入力される情報（各ディスクに記録すべき情報等）を入力情報Ｓｅｅとしてエンコーダ１１から受信し、上記処理部情報Ｓ１１、Ｓ２２、Ｓ３３又はＳ４４のいずれかとして夫々処理部５乃至８に出力する。
【００３０】
そして、デコーダ１０は、バスＢを介してＣＰＵ１２から出力される制御情報Ｓｃｄに基づいて、パス切換部９から出力された上記出力情報Ｓｄｄに対して予め設定されている復号処理を施し、図示しない出力端子を介して復号情報Ｓｄとして外部に出力する。
【００３１】
これに対し、エンコーダ１１は、バスＢを介してＣＰＵ１２から出力される制御情報Ｓｃｅに基づいて、図示しない入力端子を介して外部から入力される外部入力情報Ｓｅに対して予め設定されている符号化処理を施し、上記入力情報Ｓｅｅとしてパス切換部９に出力する。
【００３２】
これらと並行して、ＣＰＵ１２は、情報処理装置Ｓを構成する上記各構成部材を制御して後述する情報記録処理等を実行すべく、バスＢを介して上記制御情報Ｓｉ１、Ｓｉ２、Ｓｃ１、Ｓｃ２、Ｓｃ３、Ｓｃ４、Ｓｃｍ、Ｓｃｄ又はＳｃｅとなる制御情報Ｓｃｃを生成してバスＢに出力する。
【００３３】
次に、各処理部の細部構成及び動作について、図２を用いて説明する。なお、上述した如く処理部５乃至８は相互に同様の構成を備えているので、以下の説明では、これらを代表して処理部５について説明する。
【００３４】
また、図２（ａ）は処理部５における処理の原理を説明する概念図であり、図２（ｂ）は処理部５の具体的な構成を示すブロック図である。
【００３５】
上述した如く、処理部５は、光ディスクＤＫに記録すべき情報を暗号化する場合における処理部情報Ｓ１１に対する暗号化処理と、光ディスクＤＫから検出された情報を復号する場合における処理部情報Ｓ１に対する復号処理と、を一つの構成部材（チップ）により実行するものであるが、初めにその原理について説明する。
【００３６】
一般に、暗号化処理と復号処理とは、いわゆる鏡面関係にあり、例えば図２（ａ）に示す演算Ｐの如く暗号化処理と復号処理とで夫々同一の演算を行うステップと、図２（ａ）に示す演算Ｑの加算行程と演算Ｒの減算行程の如く暗号化処理と復号処理とで逆の演算を行うステップと、の複合処理として考えることができる。
【００３７】
より具体的には、図２（ａ）において、情報Ｋは暗号化される原情報、情報Ｌは演算Ｐが実行された結果としての情報、情報Ｍは暗号化処理により情報Ｋが暗号化された結果得られる情報、情報Ｎは復号処理により情報Ｍが復号された結果得られる情報であり、情報Ｋと情報Ｎとは一致する。そして、図２（ａ）において、演算Ｒは（情報Ｍ）−（情報Ｌ）という処理を行うが、この演算Ｒは（情報Ｍ）＋（−情報Ｌ）と置き換えることが可能であり、結果として、演算Ｑと演算Ｒとは、与えられる情報が異なるが共に加算を行う行程と考えることができる。このように暗号化処理と復号処理とは、その処理ステップを共用できる部分が多い。よって、図２（ｂ）に示す処理部５の如く一つの共通処理ユニットとして当該処理部５を構成し、この共通処理ユニットに与える情報を任意に選択することによって一つの共通処理ユニットにおいて暗号化処理又は復号処理を時分割で切り替えて実行することができるのである。
【００３８】
次に、上記の原理に基づいた処理部５の具体的な構成について、図２（ｂ）を用いて説明する。
【００３９】
図２（ｂ）に示すように、実施形態の処理部５は、第１演算部２０と、演算手段としての第２演算部２１と、反転部２２と、第１選択手段としての第１選択部２３と、第２選択手段としての第２選択部２４と、により構成されている。
【００４０】
次に細部動作を説明する。
【００４１】
先ず、処理部５を用いて上記処理部情報Ｓ１１を暗号化して処理部情報Ｓ１を生成する場合、第１演算部２０は、予め設定された処理により当該処理部情報Ｓ１１を暗号化するための暗号化用情報Ｓｐ（図２（ａ）における情報Ｌに相当するものであり、以下、その値を仮に「Ｌ」とする）を生成し、第１選択部２３の一方の入力端子及び反転部２２へ出力する。
【００４２】
そして、反転部２２は、入力された暗号化用情報Ｓｐの符号を反転し、反転暗号化用情報Ｓｐｉ（その値は、「−Ｌ」である）を生成して第１選択部２３の他方の入力端子へ出力する。
【００４３】
これらにより、第１選択部２３は、バスＢを介してＣＰＵ１２から出力される制御情報Ｓｃ１に基づいて、処理部情報Ｓ１１を暗号化する場合にあっては上記暗号化処理用情報Ｓｐが入力されている端子を選択し、当該暗号化処理用情報Ｓｐを選択情報Ｓｓ１として第２演算部２１の一方の端子へ出力する。
【００４４】
一方、第２選択部２４の一方の入力端子には処理部情報Ｓ１１が入力されるように構成されており、第２選択部２４の他方の入力端子には処理部情報Ｓ１が入力されるように構成されている。
【００４５】
そして、第２選択部２４は、バスＢを介してＣＰＵ１２から出力される制御情報Ｓｃ１に基づいて、処理部情報Ｓ１１を暗号化する場合にあっては当該処理部情報Ｓ１１が入力されている端子を選択し、当該処理部情報Ｓ１１（図２（ａ）における情報Ｋに相当するものであり、以下、その値を仮に「Ｋ」とする）を選択情報Ｓｓ２として第２演算部２１へ出力する。
【００４６】
これらにより、第２演算部２１は、選択情報Ｓｓ１に含まれている情報（この場合は暗号化処理用情報Ｓｐ（その値は「Ｌ」））と選択情報Ｓｓ２に含まれている情報（この場合は処理部情報Ｓ１１（その値は「Ｋ」））とを用いて予め設定されている暗号／復号演算（例えば加算（Ｌ＋Ｋ））を行い、その結果としての暗号化された処理部情報Ｓ１を生成してインタフェース２へ出力する。
【００４７】
次に、処理部５を用いて上記処理部情報Ｓ１（図２（ａ）における情報Ｍに相当するものであり、以下、その値を仮に「Ｍ」とする）を復号して処理部情報Ｓ１１を生成する場合、第１演算部２０は、上述した処理部情報Ｓ１１を暗号化する場合と同様に暗号化用情報Ｓｐを生成し、第１選択部２３の一方の入力端子及び反転部２２へ出力する。
【００４８】
そして、反転部２２は、上述した処理部情報Ｓ１１を暗号化する場合と同様に反転暗号化用情報Ｓｐｉを生成して第１選択部２３の他方の入力端子へ出力する。
【００４９】
これらにより、第１選択部２３は、バスＢを介してＣＰＵ１２から出力される制御情報Ｓｃ１に基づいて、処理部情報Ｓ１を復号する場合にあっては上記反転暗号化処理用情報Ｓｐｉが入力されている端子を選択し、当該反転暗号化処理用情報Ｓｐｉを選択情報Ｓｓ１として第２演算部２１の一方の端子へ出力する。
【００５０】
一方、第２選択部２４は、バスＢを介してＣＰＵ１２から出力される制御情報Ｓｃ１に基づいて、処理部情報Ｓ１を復号化する場合にあっては当該処理部情報Ｓ１が入力されている端子を選択し、当該処理部情報Ｓ１を選択情報Ｓｓ２として第２演算部２１へ出力する。
【００５１】
これらにより、第２演算部２１は、選択情報Ｓｓ１に含まれている情報（この場合は反転暗号化用情報Ｓｐｉ（その値は「−Ｌ」））と選択情報Ｓｓ２に含まれている情報（この場合は処理部情報Ｓ１（その値は「Ｍ」））とを用いて、上述した処理部情報Ｓ１１を暗号化する場合と同様の暗号化／復号演算（例えば加算（Ｍ−Ｌ））を行い、その結果としての復号された処理部情報Ｓ１１（その値は元の「Ｋ」となる）を生成してパス切換部９へ出力する。
【００５２】
以上の動作は、他の処理部６乃至８においても同様に実行される。
【００５３】
なお、上述した処理部５乃至８における処理は、暗号化処理と復号処理とを一つの部材で行う場合の具体的構成の一例であり、暗号化処理と復号処理とを一つの部材で行うための構成はこの他にも種々考え得るものである。
【００５４】
次に、上述してきた構成及び動作を備える情報処理装置Ｓにおいて実行される実施形態に係る記録処理及び再生処理の切換処理について、具体的に図３乃至図１０を用いて例示しつつ説明する。
【００５５】
なお、図３、図５、図７及び図９は、ＣＰＵ１２を中心として実行される当該切換処理に対応する各実施形態を示すフローチャートであり、図４、図６、図８及び図１０は当該切換処理に対応する各実施形態における情報の流れを示すブロック図である。
【００５６】
（Ｉ）切換処理の第１実施形態
始めに、当該切換処理の第１実施形態について、図３及び図４を用いて説明する。
【００５７】
なお、当該切換処理の第１実施形態は、図４（ａ）に示すように、パス切換部９内においてパスＰ１が形成されており、光ディスクＤＫから検出されて処理部６により復号された情報が当該パスＰ１を含んで図４（ａ）中破線で示す経路Ｒ１に沿って転送され、処理部７により暗号化された後に磁気ディスクＨＤに記録される複写処理が実行されている状態から、図４（ｂ）に示すように、パス切換部９内においてパスＰ１１が新たに形成され、光ディスクＤＫから検出されて処理部５により復号された情報が当該パスＰ１１を含んで図４（ｂ）中破線で示す経路Ｒ１１に沿って転送されて処理部７により暗号化された後に磁気ディスクＨＤに記録される複写処理と、パス切換部９内においてパスＰ１２が新たに形成され、光ディスクＤＫから検出されて処理部６により復号された情報が当該パスＰ１２を含んで図４（ｂ）中破線で示す経路Ｒ１２に沿って転送されてデコーダ１０により更に復号されて外部に出力される再生処理と、が並行して時分割的に実行される状態に切り換えられる場合の実施形態である。
【００５８】
なお、図４（ａ）に示す状態では、処理部６においては処理部情報Ｓ２を復号して処理部情報Ｓ２２とする復号処理が実行されるように上記制御情報Ｓｃ２（図４（ａ）において図示を省略）が当該処理部６に出力されていると共に、処理部７においては処理部情報Ｓ３３（すなわち、パスＰ１を介して入力される処理部情報Ｓ２２）を暗号化して処理部情報Ｓ３とする暗号化処理が実行されるように上記制御情報Ｓｃ３（図４（ａ）において図示を省略）が当該処理部７に出力されていることになる。
【００５９】
また、図４（ｂ）に示す状態では、処理部５においては処理部情報Ｓ１を復号して処理部情報Ｓ１１とする復号処理が実行されるように上記制御情報Ｓｃ１（図４（ｂ）において図示を省略）が当該処理部５に出力されていると共に、処理部７においては処理部情報Ｓ３３（すなわち、パスＰ１１を介して入力される処理部情報Ｓ１１）を暗号化して処理部情報Ｓ３とする暗号化処理が実行されるように上記制御情報Ｓｃ３（図４（ｂ）において図示を省略）が当該処理部７に出力されており、これに加えて、処理部６においては処理部情報Ｓ２を復号して処理部情報Ｓ２２とする復号処理が実行されるように上記制御情報Ｓｃ２（図４（ｂ）において図示を省略）が当該処理部６に出力されていると共に、デコーダ１０においては出力情報Ｓｄｄ（すなわち、パスＰ１２を介して入力される処理部情報Ｓ２２）を更に復号して外部に出力するように上記制御情報Ｓｃｄが当該デコーダ１０に出力されていることになる。
【００６０】
図３に示すように、切換処理の第１実施形態においては、図４（ａ）に示す状態で光ディスクＤＫから磁気ディスクＨＤに複写処理が実行されている状態で、図示しない操作部において図４（ｂ）に示す複写処理と再生処理の時分割処理を実行する旨の操作が実行されると、始めに、光ディスクＤＫからの情報の検出及びインタフェース２を介しての処理部６への転送を、その操作時点で実行されていた当該光ディスクＤＫに記録されている情報の最小分割単位の複写処理が終了した時点で一時的に中断し（ステップＳ１）、次に、磁気ディスクＨＤへの当該複写処理のための転送処理が、上記ステップＳ１の中断処理までにパスＰ１を介して転送されている最小分割単位に対応してインタフェース４において終了したか否かが確認される（ステップＳ２）。
【００６１】
そして、磁気ディスクＨＤへの情報の記録処理が完了していないときは（ステップＳ２；ＮＯ）当該記録処理が完了するまで当該記録処理を継続し、一方、完了しているときは（ステップＳ２；ＹＥＳ）、次に、処理部５を復号処理実行可能な状態に切り換える（ステップＳ３）。このステップＳ３の処理についてより具体的には、図２に示す第２選択部２４を処理部情報Ｓ１側に切り換えることになる。
【００６２】
次に、パス切換部９内において既存のパスＰ１を廃止して図４（ｂ）に示すパスＰ１１及びＰ１２を形成し（ステップＳ４）、更に暗号化処理を実行する処理部７におけるデータ経路を再設定する（ステップＳ５）。
【００６３】
そして、パスＰ１１を含む経路Ｒ１１に沿った情報の複写処理を磁気ディスクＨＤ側から再開し（ステップＳ６）、更にパスＰ１２を含む経路Ｒ１２に沿った情報の再生処理を光ディスクＤＫ側で再開して（ステップＳ７）、図４（ｂ）の状態での複写処理と再生処理とが時分割的に並行して実行される。このとき、当該複写処理において光ディスクＤＫから検出された情報の処理部５における復号処理に用いられる暗号化用情報と、当該再生処理において光ディスクＤＫから検出された情報の処理部６における復号処理に用いられる暗号化用情報と、は相互に異なるものが用いられている。
【００６４】
以上説明したように、切換処理の第１実施形態によれば、二つの処理部５及び６において共に復号処理を行い、これに対応して情報の伝送経路をパス切換部９により切り換えるので、暗号化処理と復号処理を別個の回路又は装置により実行する場合に比して情報処理装置Ｓ全体としての回路規模を低減して当該情報処理装置Ｓを小型化／低コスト化することができる。
【００６５】
また、処理部５、６及び７がインタフェース２、４、ピックアップ１又は磁気ヘッド２から独立して設けられているので、インタフェース２、４、ピックアップ１又は磁気ヘッド２内における情報の転送速度を向上させて情報処理装置Ｓ全体として処理速度を向上させることができる。
【００６６】
更に、パス切換部９により伝送経路を切り換えて各処理部及びデコーダ１０に情報を供給するので、暗号化処理又は復号処理のいずれか一方のみを行いうる回路又は装置を一のバスに並列的に接続する場合に比してより高速に必要な情報の処理を実行することができる。
【００６７】
（ＩＩ）切換処理の第２実施形態
次に、切換処理の第２実施形態について、図５及び図６を用いて説明する。
【００６８】
なお、当該切換処理の第２実施形態は、図６（ａ）に示すように、パス切換部９内においてパスＰ２が形成されており、磁気ディスクＨＤから検出されて処理部８により復号された情報が当該パスＰ２を含んで図６（ａ）中破線で示す経路Ｒ２に沿って転送され、処理部５により暗号化された後に光ディスクＤＫに記録される複写処理が実行されている状態から、図６（ｂ）に示すように、パス切換部９内においてパスＰ２１が新たに形成され、磁気ディスクＨＤから検出されて処理部７により復号された情報が当該パスＰ２１を含んで図６（ｂ）中破線で示す経路Ｒ２１に沿って転送されて処理部５により暗号化された後に光ディスクＤＫに記録される複写処理と、パス切換部９内においてパスＰ２２が新たに形成され、磁気ディスクＨＤから検出されて処理部８により復号された情報が当該パスＰ２２を含んで図６（ｂ）中破線で示す経路Ｒ２２に沿って転送されてデコーダ１０により更に復号されて外部に出力される再生処理と、が並行して時分割的に実行される状態に切り換えられる場合の実施形態である。
【００６９】
なお、図６（ａ）に示す状態では、処理部８においては処理部情報Ｓ４を復号して処理部情報Ｓ４４とする復号処理が実行されるように上記制御情報Ｓｃ４（図６（ａ）において図示を省略）が当該処理部８に出力されていると共に、処理部５においては処理部情報Ｓ１１（すなわち、パスＰ２を介して入力される処理部情報Ｓ４４）を暗号化して処理部情報Ｓ１とする暗号化処理が実行されるように上記制御情報Ｓｃ１（図６（ａ）において図示を省略）が当該処理部７に出力されていることになる。
【００７０】
また、図６（ｂ）に示す状態では、処理部７においては処理部情報Ｓ３を復号して処理部情報Ｓ３３とする復号処理が実行されるように上記制御情報Ｓｃ３（図６（ｂ）において図示を省略）が当該処理部７に出力されていると共に、処理部５においては処理部情報Ｓ１１（すなわち、パスＰ２１を介して入力される処理部情報Ｓ３３）を暗号化して処理部情報Ｓ１とする暗号化処理が実行されるように上記制御情報Ｓｃ１（図６（ｂ）において図示を省略）が当該処理部５に出力されており、これに加えて、処理部８においては処理部情報Ｓ４を復号して処理部情報Ｓ４４とする復号処理が実行されるように上記制御情報Ｓｃ４（図６（ｂ）において図示を省略）が当該処理部８に出力されていると共に、デコーダ１０においては出力情報Ｓｄｄ（すなわち、パスＰ２２を介して入力される処理部情報Ｓ４４）を更に復号して外部に出力するように上記制御情報Ｓｃｄが当該デコーダ１０に出力されていることになる。
【００７１】
図５に示すように、切換処理の第２実施形態においては、図６（ａ）に示す状態で磁気ディスクＨＤから光ディスクＤＫに複写処理が実行されている状態で、図示しない操作部において図６（ｂ）に示す複写処理と再生処理の時分割処理を実行する旨の操作が実行されると、始めに、磁気ディスクＨＤからの情報の検出及びインタフェース４を介しての処理部８への転送を、その操作時点で実行されていた当該磁気ディスクＨＤに記録されている情報の最小分割単位の複写処理が終了した時点で一時的に中断し（ステップＳ１０）、次に、光ディスクＤＫへの当該複写処理のための転送処理が、上記ステップＳ１０の中断処理までにパスＰ２を介して転送されている最小分割単位に対応してインタフェース２において終了したか否かが確認される（ステップＳ１１）。
【００７２】
そして、光ディスクＤＫへの情報の記録処理が完了していないときは（ステップＳ１１；ＮＯ）当該記録処理が完了するまで当該記録処理を継続し、一方、完了しているときは（ステップＳ１１；ＹＥＳ）、次に、処理部７を復号処理実行可能な状態に切り換える（ステップＳ１２）。このステップＳ１２の処理についてより具体的には、図２に示す第２選択部２４を処理部情報Ｓ３側に切り換えることになる。
【００７３】
次に、パス切換部９内において既存のパスＰ２を廃止して図６（ｂ）に示すパスＰ２１及びＰ２２を形成し（ステップＳ１３）、更に暗号化処理を実行する処理部５におけるデータ経路を再設定する（ステップＳ１４）。
【００７４】
そして、パスＰ２１を含む経路Ｒ２１に沿った情報の複写処理を光ディスクＤＫ側から再開し（ステップＳ１５）、更にパスＰ２２を含む経路Ｒ２２に沿った情報の再生処理を磁気ディスクＨＤ側で再開して（ステップＳ１６）、図６（ｂ）の状態での複写処理と再生処理とが時分割的に並行して実行される。このとき、当該複写処理において磁気ディスクＨＤから検出された情報の処理部７における復号処理に用いられる暗号化用情報と、当該再生処理において磁気ディスクＤＫから検出された情報の処理部８における復号処理に用いられる暗号化用情報と、は相互に異なるものが用いられている。
【００７５】
以上説明したように、切換処理の第２実施形態によれば、二つの処理部７及び８において共に復号処理を行い、これに対応して情報の伝送経路をパス切換部９により切り換えるので、暗号化処理と復号処理を別個の回路又は装置により実行する場合に比して情報処理装置Ｓ全体としての回路規模を低減して当該情報処理装置Ｓを小型化／低コスト化することができる。
【００７６】
また、処理部５、７及び８がインタフェース２、４、ピックアップ１又は磁気ヘッド２から独立して設けられているので、インタフェース２、４、ピックアップ１又は磁気ヘッド２内における情報の転送速度を向上させて情報処理装置Ｓ全体として処理速度を向上させることができる。
【００７７】
更に、パス切換部９により伝送経路を切り換えて各処理部及びデコーダ１０に情報を供給するので、暗号化処理又は復号処理のいずれか一方のみを行いうる回路又は装置を一のバスに並列的に接続する場合に比してより高速に必要な情報の処理を実行することができる。
【００７８】
（ＩＩＩ）切換処理の第３実施形態
次に、切換処理の第３実施形態について、図７及び図８を用いて説明する。
【００７９】
なお、当該切換処理の第３実施形態は、図８（ａ）に示すように、パス切換部９内において図６（ａ）の場合と同様にパスＰ２が形成されており、磁気ディスクＨＤから検出されて処理部８により復号された情報が当該パスＰ２を含んで図８（ａ）中破線で示す経路Ｒ２に沿って転送され、処理部５により暗号化された後に光ディスクＤＫに記録される複写処理が実行されている状態から、図８（ｂ）に示すように、パス切換部９内においてパスＰ３２が新たに形成され、磁気ディスクＨＤから検出されて処理部８により復号された情報が当該パスＰ３２を含んで図８（ｂ）中破線で示す経路Ｒ３２に沿って転送されて処理部６により暗号化された後に光ディスクＤＫに記録される複写処理と、パス切換部９内においてパスＰ３１が新たに形成され、エンコーダ１１において符号化された入力情報Ｓｅｅが当該パス３１を含んで図８（ｂ）中破線で示す経路Ｒ３１に沿って転送され、処理部６により暗号化された後に光ディスクＤＫに記録される記録処理と、が並行して時分割的に実行される状態に切り換えられる場合の実施形態である。
【００８０】
なお、図８（ａ）に示す状態では、図６（ａ）に示す場合と同様の制御情報Ｓｃ４及びＳｃ１が生成されて夫々処理部８及び５に出力されていることになる。
【００８１】
また、図８（ｂ）に示す状態では、処理部８においては処理部情報Ｓ４を復号して処理部情報Ｓ４４とする復号処理が実行されるように上記制御情報Ｓｃ４（図８（ｂ）において図示を省略）が当該処理部８に出力されていると共に、処理部６においては処理部情報Ｓ２２（すなわち、パスＰ３２を介して入力される処理部情報Ｓ４４）を暗号化して処理部情報Ｓ２とする暗号化処理が実行されるように上記制御情報Ｓｃ２（図８（ｂ）において図示を省略）が当該処理部６に出力されており、これに加えて、エンコーダ１１において外部入力情報Ｓｅを符号化して入力情報Ｓｅｅとしてパス切換部９に出力するように上記制御情報Ｓｃｅが当該エンコーダ１１に出力されていると共に、処理部５においては処理部情報Ｓ１１（すなわち、パスＰ３１を介して入力される入力情報Ｓｅｅ）を暗号化して処理部情報Ｓ１とする暗号化処理が実行されるように上記制御情報Ｓｃ１（図８（ｂ）において図示を省略）が当該処理部５に出力されていることになる。
【００８２】
図７に示すように、切換処理の第３実施形態においては、図８（ａ）に示す状態で磁気ディスクＨＤから光ディスクＤＫに複写処理が実行されている状態で、図示しない操作部において図８（ｂ）に示す複写処理と記録処理の時分割処理を実行する旨の操作が実行されると、始めに、磁気ディスクＨＤからの情報の検出及びインタフェース４を介しての処理部８への転送を、その操作時点で実行されていた当該磁気ディスクＨＤに記録されている情報の最小分割単位の複写処理が終了した時点で一時的に中断し（ステップＳ２０）、次に、光ディスクＤＫへの当該複写処理のための転送処理が、上記ステップＳ２０の中断処理までにパスＰ３を介して転送されている最小分割単位に対応してインタフェース２において終了したか否かが確認される（ステップＳ２１）。
【００８３】
そして、光ディスクＤＫへの情報の記録処理が完了していないときは（ステップＳ２１；ＮＯ）当該記録処理が完了するまで当該記録処理を継続し、一方、完了しているときは（ステップＳ２１；ＹＥＳ）、次に、処理部６を暗号化処理実行可能な状態に切り換える（ステップＳ２２）。このステップＳ２２の処理についてより具体的には、図２に示す第２選択部２４を処理部情報Ｓ２２側に切り換えることになる。
【００８４】
次に、パス切換部９内において既存のパスＰ３を廃止して図８（ｂ）に示すパス３１及びＰ３２を形成し（ステップＳ２３）、更に暗号化処理を実行する処理部５及び６におけるデータ経路を再設定する（ステップＳ２４）。
【００８５】
そして、パスＰ３２を含む経路Ｒ３２に沿った情報の複写処理を光ディスクＤＫ側から再開し（ステップＳ２５）、更にパスＰ３１を含む経路Ｒ３１に沿った情報の記録処理を光ディスクＤＫ側で再開して（ステップＳ２６）、図８（ｂ）の状態での複写処理と記録処理とが時分割的に並行して実行される。このとき、当該複写処理において磁気ディスクＨＤから検出された情報の処理部６における暗号化処理に用いられる暗号化用情報と、当該記録処理において光ディスクＤＫへ記録される情報の処理部５における暗号化処理に用いられる暗号化用情報と、は相互に異なるものが用いられている。
【００８６】
以上説明したように、切換処理の第３実施形態によれば、二つの処理部５及び６において共に暗号化処理を行い、これに対応して情報の伝送経路をパス切換部９により切り換えるので、暗号化処理と復号処理を別個の回路又は装置により実行する場合に比して情報処理装置Ｓ全体としての回路規模を低減して当該情報処理装置Ｓを小型化／低コスト化することができる。
【００８７】
また、処理部５、６及び８がインタフェース２、４、ピックアップ１又は磁気ヘッド２から独立して設けられているので、インタフェース２、４、ピックアップ１又は磁気ヘッド２内における情報の転送速度を向上させて情報処理装置Ｓ全体として処理速度を向上させることができる。
【００８８】
更に、パス切換部９により伝送経路を切り換えて各処理部及びエンコーダ１１に情報を供給するので、暗号化処理又は復号処理のいずれか一方のみを行いうる回路又は装置を一のバスに並列的に接続する場合に比してより高速に必要な情報の処理を実行することができる。
【００８９】
（ＩＶ）切換処理の第４実施形態
最後に、切換処理の第４実施形態について、図９及び図１０を用いて説明する。
【００９０】
なお、当該切換処理の第４実施形態は、図１０（ａ）に示すように、パス切換部９内において図４（ａ）の場合と同様にパスＰ１が形成されており、光ディスクＤＫから検出されて処理部６により復号された情報が当該パスＰ１を含んで図１０（ａ）中破線で示す経路Ｒ１に沿って転送され、処理部７により暗号化された後に磁気ディスクＨＤに記録される複写処理が実行されている状態から、図１０（ｂ）に示すように、パス切換部９内においてパスＰ４１が新たに形成され、光ディスクＤＫから検出されて処理部６により復号された情報が当該パスＰ４１を含んで図１０（ｂ）中破線で示す経路Ｒ４１に沿って転送されて処理部８により暗号化された後に磁気ディスクＨＤに記録される複写処理と、パス切換部９内においてパスＰ４２が新たに形成され、エンコーダ１１において符号化された入力情報Ｓｅｅが当該パス４２を含んで図１０（ｂ）中破線で示す経路Ｒ４２に沿って転送され、処理部７により暗号化された後に磁気ディスクＨＤに記録される記録処理と、が並行して時分割的に実行される状態に切り換えられる場合の実施形態である。
【００９１】
なお、図１０（ａ）に示す状態では、図４（ａ）に示す場合と同様の制御情報Ｓｃ３及びＳｃ２が生成されて夫々処理部７及び６に出力されていることになる。
【００９２】
また、図１０（ｂ）に示す状態では、処理部６においては処理部情報Ｓ２を復号して処理部情報Ｓ２２とする復号処理が実行されるように上記制御情報Ｓｃ２（図１０（ｂ）において図示を省略）が当該処理部６に出力されていると共に、処理部８においては処理部情報Ｓ４４（すなわち、パスＰ４１を介して入力される処理部情報Ｓ２２）を暗号化して処理部情報Ｓ４とする暗号化処理が実行されるように上記制御情報Ｓｃ４（図１０（ｂ）において図示を省略）が当該処理部８に出力されており、これに加えて、エンコーダ１１において外部入力情報Ｓｅを符号化して入力情報Ｓｅｅとしてパス切換部９に出力するように上記制御情報Ｓｃｅが当該エンコーダ１１に出力されていると共に、処理部７においては処理部情報Ｓ３３（すなわち、パスＰ４２を介して入力される入力情報Ｓｅｅ）を暗号化して処理部情報Ｓ３とする暗号化処理が実行されるように上記制御情報Ｓｃ３（図１０（ｂ）において図示を省略）が当該処理部７に出力されていることになる。
【００９３】
図９に示すように、切換処理の第４実施形態においては、図１０（ａ）に示す状態で光ディスクＤＫから磁気ディスクＨＤに複写処理が実行されている状態で、図示しない操作部において図１０（ｂ）に示す複写処理と記録処理の時分割処理を実行する旨の操作が実行されると、始めに、光ディスクＤＫからの情報の検出及びインタフェース２を介しての処理部６への転送を、その操作時点で実行されていた当該光ディスクＤＫに記録されている情報の最小分割単位の複写処理が終了した時点で一時的に中断し（ステップＳ３０）、次に、磁気ディスクＨＤへの当該複写処理のための転送処理が、上記ステップＳ３０の中断処理までにパスＰ４を介して転送されている最小分割単位に対応してインタフェース４において終了したか否かが確認される（ステップＳ３１）。
【００９４】
そして、磁気ディスクＨＤへの情報の記録処理が完了していないときは（ステップＳ３１；ＮＯ）当該記録処理が完了するまで当該記録処理を継続し、一方、完了しているときは（ステップＳ３１；ＹＥＳ）、次に、処理部８を暗号化処理実行可能な状態に切り換える（ステップＳ３２）。このステップＳ３２の処理についてより具体的には、図２に示す第２選択部２４を処理部情報Ｓ４４側に切り換えることになる。
【００９５】
次に、パス切換部９内において既存のパスＰ４を廃止して図１０（ｂ）に示すパスＰ４１及びＰ４２を形成し（ステップＳ３３）、更に暗号化処理を実行する処理部７及び８におけるデータ経路を再設定する（ステップＳ３４）。
【００９６】
そして、パスＰ４１を含む経路Ｒ４１に沿った情報の複写処理を光ディスクＤＫ側から再開し（ステップＳ３５）、更にパスＰ４２を含む経路Ｒ４２に沿った情報の記録処理を磁気ディスクＤＫ側で再開して（ステップＳ３６）、図１０（ｂ）の状態での複写処理と記録処理とが時分割的に並行して実行される。このとき、当該複写処理において光ディスクＤＫから検出された情報の処理部８における暗号化処理に用いられる暗号化用情報と、当該記録処理において磁気ディスクＨＤへ記録される情報の処理部７における暗号化処理に用いられる暗号化用情報と、は相互に異なるものが用いられている。
【００９７】
以上説明したように、切換処理の第４実施形態によれば、二つの処理部７及び８において共に暗号化処理を行い、これに対応して情報の伝送経路をパス切換部９により切り換えるので、暗号化処理と復号処理を別個の回路又は装置により実行する場合に比して情報処理装置Ｓ全体としての回路規模を低減して当該情報処理装置Ｓを小型化／低コスト化することができる。
【００９８】
また、処理部６、７及び８がピックアップ１又は磁気ヘッド２から独立して設けられているので、ピックアップ１又は磁気ヘッド２内における情報の転送速度を向上させて情報処理装置Ｓ全体として処理速度を向上させることができる。
【００９９】
更に、パス切換部９により伝送経路を切り換えて各処理部及びエンコーダ１１に情報を供給するので、暗号化処理又は復号処理のいずれか一方のみを行いうる回路又は装置を一のバスに並列的に接続する場合に比してより高速に必要な情報の処理を実行することができる。
【０１００】
以上夫々の実施形態について説明したように、実施形態に係る情報処理装置Ｓの動作によれば、一の処理部５、６、７又は８において暗号化処理と復号処理を行い、これに対応して情報の伝送経路を切り換えるので、暗号化処理と復号処理を別個の回路又は装置により実行する場合に比して情報処理装置Ｓ全体としての回路規模を低減して当該情報処理装置を小型化／低コスト化することができる。
【０１０１】
また、処理部５等がインタフェース２、４、ピックアップ１又は磁気ヘッド２から独立して設けられているので、インタフェース２、４、ピックアップ１又は磁気ヘッド２内における情報の転送速度を向上させて情報処理装置Ｓ全体として処理速度を向上させることができる。
【０１０２】
更に、パス切換部９により伝送経路を切り換えて各処理部に情報を供給するので、暗号化処理又は復号処理のいずれか一方のみを行いうる回路又は装置を一のバスに並列的に接続する場合に比してより高速に必要な情報の処理を実行することができる。
【０１０３】
更にまた、各処理部が異なる種類の暗号化用情報に対応しているので、情報処理装置Ｓとしての小型化／低コスト化を図ることと、異なる種類の暗号化用情報を用いて暗号化した情報を一の光ディスクＤＫ又は磁気ディスクＨＤに記録することで当該光ディスクＤＫ等における情報の保全性を高めることと、を両立させることができる。
【０１０４】
また、光ディスクＤＫ又は磁気ディスクＨＤのいずれか一からの情報の外部への再生・出力と、当該光ディスクＤＫ（又は磁気ディスクＨＤ）から当該磁気ディスクＨＤ（又は光ディスクＤＫ）への情報の暗号化複写処理とを並行して迅速に行うことができる。
【０１０５】
更に、外部から入力された情報の光ディスクＤＫ又は磁気ディスクＨＤのいずれか一への記録と、当該光ディスクＤＫ（又は磁気ディスクＨＤ）から当該磁気ディスクＨＤ（又は光ディスクＤＫ）への情報の暗号化複写処理とを並行して迅速に行うことができる。
【０１０６】
更にまた、各処理部において、夫々に備えられた第１選択部２３及び第２選択部２４による選択結果を用いて第２演算部２１により暗号化処理と復号処理を実行するので、簡易な回路構成にて迅速に必要な暗号化処理と復号処理を実行することができる。
【０１０７】
なお、上述した各実施形態においては、光ディスクＤＫと磁気ディスクＨＤとを記録媒体として用いる情報処理装置Ｓについて説明したが、これ以外に、記録処理と再生処理が共に可能な記録媒体を二以上複数備えた情報処理装置における情報の複写処理、再生処理又は記録処理に対して本願を適用することも可能である。
【０１０８】
また、光ディスクＤＫ又は磁気ディスクＨＤに記録すべき情報の入力元は、有線接続された情報再生装置であってもよいし、放送電波を受信するチューナ等であっても良い。
【０１０９】
更にまた、図３、図５、図７又は図９に示すフローチャートに対応するプログラムをフレキシブルディスクに記録しておき、或はインターネット等のネットワークを介して取得しておき、これらをマイクロコンピュータ等の汎用のコンピュータで読み出して実行させることにより、当該マイクロコンピュータ等を実施形態にかかるＣＰＵ１２として機能させることもできる。
【図面の簡単な説明】
【図１】実施形態の情報処理装置の概要構成を示すブロック図である。
【図２】実施形態の処理部の細部構成を示すブロック図等であり、（ａ）当該処理部の動作原理を説明するブロック図であり、（ｂ）は処理部の細部構成を示すブロック図である。
【図３】第１実施形態の切換処理を示すフローチャートである。
【図４】第１実施形態の切換処理を示すブロック図であり、（ａ）は切換前の情報の流れを示すブロック図であり、（ｂ）は切換後の情報の流れを示すブロック図である。
【図５】第２実施形態の切換処理を示すフローチャートである。
【図６】第２実施形態の切換処理を示すブロック図であり、（ａ）は切換前の情報の流れを示すブロック図であり、（ｂ）は切換後の情報の流れを示すブロック図である。
【図７】第３実施形態の切換処理を示すフローチャートである。
【図８】第３実施形態の切換処理を示すブロック図であり、（ａ）は切換前の情報の流れを示すブロック図であり、（ｂ）は切換後の情報の流れを示すブロック図である。
【図９】第４実施形態の切換処理を示すフローチャートである。
【図１０】第４実施形態の切換処理を示すブロック図であり、（ａ）は切換前の情報の流れを示すブロック図であり、（ｂ）は切換後の情報の流れを示すブロック図である。
【符号の説明】
１…ピックアップ
２、４…インタフェース
３…磁気ヘッド
５、６、７、８…処理部
９…パス切換部
１０…デコーダ
１１…エンコーダ
１２…ＣＰＵ
２０…第１演算部
２１…第２演算部
２２…反転部
２３…第１選択部
２４…第２選択部
Ｓ…情報処理装置
ＨＤ…磁気ディスク
ＤＫ…光ディスク
Ｂ…バス
Ｐ１、Ｐ１１、Ｐ１２、Ｐ２、Ｐ２１、Ｐ２２、Ｐ３、Ｐ３１、Ｐ３２、Ｐ４、Ｐ４１、Ｐ４２…パス
Ｒ１、Ｒ１１、Ｒ１２、Ｒ２、Ｒ２１、Ｒ２２、Ｒ３、Ｒ３１、Ｒ３２、Ｒ４、Ｒ４１、Ｒ４２…経路
【図１】
2004335035.tif 000003
【図２】
2004335035.tif 000004
【図３】
2004335035.tif 000005
【図４】
2004335035.tif 000006
【図５】
2004335035.tif 000007
【図６】
2004335035.tif 000008
【図７】
2004335035.tif 000009
【図８】
2004335035.tif 000010
【図９】
2004335035.tif 000011
【図１０】
2004335035.tif 000012